(57)【要約】【課題】ディジタル放送受信機の出力のデータ放送画面を用いて操作できる装置を提供する。【解決手段】定形データ保存手段１１１からの定形データ３００に所定のデータをデータ挿入手段１１０で挿入し、ＭＰＥＧ−ＴＳ化手段１０９でＭＰＥＧトランスポート化してディジタル放送受信機３にディジタルインターフェイス３２０を介して再生出力する定形データ放送再生手段１０８を備えた。これにより、定形データ放送再生装置５に対するコントロール機能を有しないディジタル放送受信機からでも、定形データ放送再生装置５を操作することができ、更に画面、リモコンの操作性をディジタル放送受信機３と定形データ放送再生装置とで統一することができる。【選択図】　図１
2004056160.tif 000002
【特許請求の範囲】
【請求項１】
定形データを保存する定形データ保存手段と、前記定形データに所定のデータを挿入するデータ挿入手段と、前記所定のデータが挿入された定形データをＭＰＥＧトランスポートストリーム化し、再生データとしてディジタル放送受信機に送出する定形データ放送再生手段とを備えたことを特徴とする定形データ放送再生装置。
【請求項２】
定形データを保存する定形データ保存手段と、前記定形データに所定のデータを挿入するデータ挿入手段と、前記所定のデータが挿入された定形データをＭＰＥＧトランスポートストリーム化し、再生データとしてディジタル放送受信機に送出する定形データ放送再生手段と、前記送出した定形データ放送の動作状態を制御する状態遷移制御手段とを備えたことを特徴とする定形データ放送再生装置。
【請求項３】
定形データを保存する定形データ保存手段と、前記定形データに所定のデータを挿入するデータ挿入手段と、前記所定のデータが挿入された定形データをＭＰＥＧトランスポートストリーム化し、再生データとしてディジタル放送受信機に送出する定形データ放送再生手段と、ＭＰＥＧトランスポートストリームで送られてくる番組を録画する記録媒体と、録画中もしくは録画後にＭＰＥＧ−ＴＳ信号から番組情報を抽出する番組情報取得手段と、ＭＰＥＧトランスポートストリームの記録媒体への録画再生及び番組情報を管理する記録媒体制御手段とを備えたことを特徴とする定形データ放送録画再生装置。
【請求項４】
定形データを保存する定形データ保存手段と、前記定形データに所定のデータを挿入するデータ挿入手段と、前記所定のデータが挿入された定形データをＭＰＥＧトランスポートストリーム化し、再生データとしてディジタル放送受信機に送出する定形データ放送再生手段と、前記送出した定形データ放送の動作状態を制御する状態遷移制御手段と、ＭＰＥＧトランスポートストリームで送られてくる番組を録画する記録媒体と、録画中もしくは録画後にＭＰＥＧ−ＴＳ信号から番組情報を抽出する番組情報取得手段と、ＭＰＥＧトランスポートストリームの記録媒体への録画再生及び番組情報を管理する記録媒体制御手段とを備えたことを特徴とする定形データ放送録画再生装置。
【請求項５】
前記定形データ保存手段は、書き換え可能な媒体であることを特徴とする請求項１又は２記載の定形データ放送再生装置。
【請求項６】
前記定形データ保存手段は、書き換え可能な媒体であることを特徴とする請求項３又は４記載の定形データ放送録画再生装置。
【請求項７】
挿入データは写真、絵、または音楽データであることを特徴とする請求項１又は２記載の定形データ放送再生装置。
【請求項８】
挿入データは写真、絵、または音楽データであることを特徴とする請求項３又は４記載の定形データ放送録画再生装置。
【請求項９】
挿入データはシステム内部で取得した情報であることを特徴とする請求項１又は２記載の定形データ放送再生装置。
【請求項１０】
挿入データはシステム内部で取得した情報であることを特徴とする請求項３又は４記載の定形データ放送録画再生装置。
【請求項１１】
状態遷移制御手段は、遷移要求を受け付ける要求受付手段と、定形データ放送の動作状態を管理する状態制御管理手段と、状態の変化を通知する状態変化通知手段とによって構成されることを特徴とする請求項２記載の定形データ放送再生装置。
【請求項１２】
状態遷移制御手段は、遷移要求を受け付ける要求受付手段と、定形データ放送の動作状態を管理する状態制御管理手段と、状態の変化を通知する状態変化通知手段とによって構成されることを特徴とする請求項４記載の定形データ放送録画再生装置。
【請求項１３】
要求受付手段は、ディジタル放送受信機用のリモコン信号を受光するリモコン受光手段と、リモコン信号を解析する解析手段とによって構成されることを特徴とする請求項２記載の定形データ放送再生装置。
【請求項１４】
要求受付手段は、ディジタル放送受信機用のリモコン信号を受光するリモコン受光手段と、リモコン信号を解析する解析手段とによって構成されることを特徴とする請求項４記載の定形データ放送録画再生装置。
【請求項１５】
状態変化通知手段は、データ放送のイベントメッセージ伝送方式を使用することを特徴とする請求項１１記載の定形データ放送再生装置。
【請求項１６】
状態変化通知手段は、データ放送のイベントメッセージ伝送方式を使用することを特徴とする請求項１２記載の定形データ放送録画再生装置。
【請求項１７】
定形データ放送再生手段は、状態遷移制御手段の指令に基づき、定形データの中から所定のデータを選択的にＭＰＥＧトランスポートストリーム化することを特徴とする請求項２記載の定形データ放送再生装置。
【請求項１８】
定形データ放送再生手段は、状態遷移制御手段の指令に基づき、定形データの中から所定のデータを選択的にＭＰＥＧトランスポートストリーム化することを特徴とする請求項４記載の定形データ放送録画再生装置。
【請求項１９】
受信したＭＰＥＧトランスポートストリーム中に含まれるダウンロードデータを抽出し、定形データまたは定形データに挿入する所定のデータ、ならびに状態制御管理手段と状態通知手段を変更可能な請求項３又は４記載の定形データ放送録画再生装置。
【発明の詳細な説明】
【０００１】
【発明の属する技術分野】
本発明は、ディジタル放送受信機に対して有用な定形データ放送機能を有する定形データ放送再生装置及び定形データ放送録画再生装置に関するものである。
【０００２】
【従来の技術】
ディジタルＴＶ放送が開始され、セットトップボックスと称されるディジタル放送受信機の普及と共に、ディジタル放送受信機に接続可能な記録再生装置が開発されている。
【０００３】
以下に、図２３及び図２４を用いて従来の技術について説明する。
【０００４】
図２３は従来の記録再生装置における番組タイトル表示を実現するディジタルコンテンツ再生環境例１を示すブロック図である。同図は、番組が格納されているディジタルコンテンツ再生機器４、ディジタルコンテンツ再生機器４から番組タイトルを読み出すディジタル放送受信機３、番組タイトル一覧を表示するＴＶ受像機１から構成される。また、ディジタルコンテンツ再生機器４は、番組タイトル情報格納手段１０４、コンテンツ再生手段１０５、コンテンツ選択手段１０６から構成され、ディジタル放送受信機３は、表示手段１０１、番組タイトル情報取得手段１０２、番組タイトル情報解析手段１０３を備える。
【０００５】
表示手段１０１はディジタル放送受信機３の動作状態や、受信中の番組情報、および接続されているディジタルコンテンツ再生機器４に関する情報をユーザーに通知するためにＴＶ受像機１の画面上に各種情報をグラフィックス表示するための手段である。また、番組タイトル情報取得手段１０２は、接続されているディジタルコンテンツ再生機器３に対して、番組情報を要求するコマンドを送信し、かつディジタルコンテンツ再生機器４から回答される情報を取得する手段であり、例えばアイ・イー・イー・イー１３９４（ＩＥＥＥ１３９４）インタフェース上でのＡＶ／Ｃコマンドのやり取り等で実現される。番組情報には、番組タイトルや録画日時、番組の内容、ジャンル、放送されたチャンネル等がある。また、番組タイトル情報解析手段１０３は、番組タイトル情報取得手段１０２を用いて取得した番組情報を解析し、ユーザーに必要な情報のみを取り出す手段である。また、番組タイトル情報格納手段１０４はディジタルコンテンツ再生機器４において、取り扱う番組に関する各種情報を格納する手段であり、番組自体を格納する記憶媒体上や、ディジタルコンテンツ再生機器４の持つ記憶装置上に格納することで実現される。また、コンテンツ再生手段１０６は、ディジタルコンテンツ再生機器４が取り扱う記憶媒体上に記録されている番組のコンテンツデータを出力する手段であり、磁気テープや光ディスク、ハードディスク等に代表される媒体上の信号読み取り部や信号処理回路等から構成される。また、コンテンツ選択手段１０６は、指定された番組が記憶媒体上のどの場所に格納されているかを示す情報に基づいて、指定された番組を再生する動作を実現する手段であり、ファイルシステムなどにより実現される。
【０００６】
次に、ディジタルコンテンツ再生環境での番組タイトル表示と、番組タイトル表示に基づいた番組再生の指定について説明する。
【０００７】
ユーザーから番組情報表示の要求を受けると、ディジタル放送受信機３は、番組タイトル情報取得手段１０２を通じて、ディジタルコンテンツ再生機器４に対して再生コンテンツに関する番組タイトル情報の問い合せを行う。ディジタルコンテンツ再生機器４は、番組タイトル情報格納手段１０４から番組タイトル情報を取り出し、その情報をディジタル放送受信機３に回答する。ディジタル放送受信機３は、番組タイトル情報取得手段１０２を通じて受取った番組タイトル情報の中から必要な情報を番組タイトル解析手段１０３を用いて取りだし、表示手段１０１を用いてＴＶ受像機１の画面上に表示を行う。その後、ユーザーから再生させたい番組を指定されると、指定された番組をディジタルコンテンツ再生機器４に伝える。ディジタルコンテンツ再生機器４は伝えられた番組の内容をコンテンツ選択手段１０６を用いて取り出し、コンテンツ再生手段１０５を用いてユーザーに指定された番組の再生を実現する。
【０００８】
図２４は従来の記録再生装置等の機器における操作画面表示を実現するディジタルコンテンツ再生環境例２を示すブロック図である。同図は、操作画面を持つ複数の機器２ａ〜２ｎと、操作画面を表示するＴＶ受像機１から構成される。それぞれの機器は操作画面を表示するための表示手段１０１を備える。
【０００９】
表示手段１０１は、機器２ａ〜２ｎそれぞれの動作状況や、取り扱う番組の情報をユーザーに通知するためにＴＶ受像機１の画面上に各種情報をグラフィックス表示するための手段である。
【００１０】
各機器２ａ〜２ｎはそれぞれの機器が表示手段１０１を備え、ユーザーに通知したい情報情報を、表示手段１０１を用いてＴＶ受像機１の画面上に表示する。ＴＶ受像機１では機器２ａ〜２ｎが出力する映像信号は別々の映像入力端子で受取るため、それぞれの機器の操作を行う際には信号入力の切り替えを行い、操作対象となる機器の映像出力信号がＴＶ受像機１の画面上に表示された状態で操作を行う。
【００１１】
図２５は従来の蓄積型データ放送サービスの実現方法を示している。同図において、３１７は衛星放送信号、３１８は映像信号、３１９はデータ信号、１１は衛星放送信号３１７を送信する通信衛星、１２は通信衛星１１から送信されてくる衛星放送信号３１７を受信する衛星放送用アンテナ、１３は蓄積型データ放送専用ディジタル放送受信機、１はＴＶ受像機，１２４はデータ信号３１９を記録する記録媒体である。
【００１２】
蓄積データ放送サービスでは、衛星放送信号３１７に映像信号３１８とデータ信号３１９を混在させて送信し、蓄積型データ放送専用ディジタル放送受信機１３にて映像信号３１８とデータ信号３１９を分離し、データ信号３１９を記録媒体１２４に記録する。映像信号３１８はＴＶ受像機１に送られて視聴される。ユーザーがデータ放送を利用したいときには、データ信号３１９を記録媒体１２４から取り出すことにより蓄積型データ放送サービスを提供する。
【００１３】
【発明が解決しようとする課題】
上述した、従来のデジタルコンテンツ再生環境例１、例２では、次のような問題点がある。
【００１４】
図２３に示した従来のディジタルコンテンツ再生環境例１から明らかなように、将来に渡り、すべての機器を制御する制御プログラムをディジタル放送受信機３に備えることはできなかった。
【００１５】
例えば、Ｄ−ＶＨＳ（登録商標、以下同様）録画再生装置をテープ媒体用のＶＣＲコマンドで操作する機能を備えたディジタル放送受信機３はすでに多く存在しているが、同一の受信機で、その後に開発されたディスクコマンドに対応したハードディスクを用いたレコーダを制御することはできなかった。従って、新しいコマンドで動作する機器を制御するためには新しい制御ソフトを装備したディジタル放送受信機３が必要であった。即ち、ディジタル情報受信機３が最新の機器のコントロール機能を有しない場合には、古い機器しか制御することができないという第１の課題があった。この第１の課題の制御できないという内容をさらに細分化して考えると、ディジタルコンテンツ再生機器４の動作状態を表示する制御ができないという視点と、ディジタルコンテンツ再生機器４の操作をディジタル放送受信機３の側から指令する制御ができないとう２つの視点がある。
【００１６】
また、従来のＤ−ＶＨＳ録画再生装置等の録画再生機器はデータ放送を録画再生することはできても録画再生機器側から再生されているデータ放送の画面を操作することはできないという第２の課題があった。
【００１７】
次に、従来のディジタルコンテンツ再生環境例２から明らかなように、複数の機器が個別に操作画面表示機能を持つことで、ＴＶ受像機１との接続において機器２の台数に対応した映像信号を切り替える手段が必要となる。また、機器それぞれにリモコン及び操作画面が存在することとなり視聴者の操作が複雑になるという第３の課題があった。
【００１８】
さらに、従来の録画再生装置は、番組タイトル情報をディジタル放送受信機側から別途取得する方法しか存在しなかったため、番組タイトルを録画再生装置に通知する手段を持たないディジタル放送受信機３から録画された番組はタイトル表示ができないという第４の課題があった。
【００１９】
また、従来の蓄積放送サービスでは、専用の受信機以外の受信機では蓄積放送サービスを視聴できないという第５の課題があった。
【００２０】
【課題を解決するための手段】
上述した課題を解決するために、第１の本発明（請求項１に対応）は、定形データを保存する定形データ保存手段と、定形データに所定のデータを挿入するデータ挿入手段と、所定のデータが挿入された定形データをＭＰＥＧトランスポートストリーム化し、再生データとしてディジタル放送受信機に送出する定形データ放送再生手段とを備えたことを特徴とする定形データ放送再生装置である。
【００２１】
また第２の本発明（請求項２に対応）は、定形データを保存する定形データ保存手段と、定形データに所定のデータを挿入するデータ挿入手段と、所定のデータが挿入された定形データをＭＰＥＧトランスポートストリーム化し、再生データとしてディジタル放送受信機に送出する定形データ放送再生手段と、送出した定形データ放送の動作状態を制御する状態遷移制御手段とを備えたことを特徴とする定形データ放送再生装置である。
【００２２】
また第３の本発明（請求項３に対応）は、定形データを保存する定形データ保存手段と、定形データに所定のデータを挿入するデータ挿入手段と、所定のデータが挿入された定形データをＭＰＥＧトランスポートストリーム化し、再生データとしてディジタル放送受信機に送出する定形データ放送再生手段と、ＭＰＥＧトランスポートストリームで送られてくる番組を録画する記録媒体と、録画中もしくは録画後にＭＰＥＧ−ＴＳ信号から番組情報を抽出する番組情報取得手段と、ＭＰＥＧトランスポートストリームの記録媒体への録画再生及び番組情報を管理する記録媒体制御手段とを備えたことを特徴とする定形データ放送録画再生装置である。
【００２３】
また第４の本発明（請求項４に対応）は、定形データを保存する定形データ保存手段と、定形データに所定のデータを挿入するデータ挿入手段と、所定のデータが挿入された定形データをＭＰＥＧトランスポートストリーム化し、再生データとしてディジタル放送受信機に送出する定形データ放送再生手段と、送出した定形データ放送の動作状態を制御する状態遷移制御手段と、ＭＰＥＧトランスポートストリームで送られてくる番組を録画する記録媒体と、録画中もしくは録画後にＭＰＥＧ−ＴＳ信号から番組情報を抽出する番組情報取得手段と、ＭＰＥＧトランスポートストリームの記録媒体への録画再生及び番組情報を管理する記録媒体制御手段とを備えたことを特徴とする定形データ放送録画再生装置である。
【００２４】
また第５の本発明（請求項５，６に対応）は、定形データ保存手段は、書き換え可能な媒体であることを特徴とする請求項１又は２記載の定形データ放送再生装置又は特許請求項３又は４記載の定形データ放送録画再生装置である。
【００２５】
また第６の本発明（請求項７，８に対応）は、挿入データは写真、絵、または音楽データであることを特徴とする請求項１又は２記載の定形データ放送再生装置又は特許請求項３又は４記載の定形データ放送録画再生装置である。
【００２６】
また第７の本発明（請求項９，１０に対応）は、挿入データはシステム内部で取得した情報であることを特徴とする請求項１又は２記載の定形データ放送再生装置又は特許請求項３又は４記載の定形データ放送録画再生装置である。
【００２７】
また第８の本発明（請求項１１，１２に対応）は、状態遷移制御手段は、遷移要求を受け付ける要求受付手段と、定形データ放送の動作状態を管理する状態制御管理手段と、状態の変化を通知する状態通知手段によって構成されることを特徴とする請求項２記載の定形データ放送再生装置又は請求項４記載の定形データ放送録画再生装置である。
【００２８】
また第９の本発明（請求項１３，１４に対応）は、要求受付手段は、ディジタル放送受信機用のリモコン信号を受光するリモコン受光手段と、リモコン信号を解析する解析手段によって構成されることを特徴とする請求項２記載の定形データ放送再生装置又は請求項４記載の定形データ放送録画再生装置である。
【００２９】
また第１０の本発明（請求項１５，１６に対応）は、状態変化通知手段は、データ放送のイベントメッセージ伝送方式を使用することを特徴とする請求項１１記載の定形データ放送再生装置又は請求項１２記載の定形データ放送録画再生装置である。
【００３０】
また第１１の本発明（請求項１７，１８に対応）は、定形データ放送再生手段は、状態遷移制御手段の指令に基づき、定形データの中から所定のデータを選択的にＭＰＥＧトランスポートストリーム化することを特徴とする請求項２記載の定形データ放送再生装置又は請求項４記載の定形データ放送録画再生装置である。
【００３１】
また第１２の本発明（請求項１９に対応）は、受信したＭＰＥＧトランスポートストリーム中に含まれるダウンロードデータを抽出し、定形データまたは定形データに挿入する所定のデータ、ならびに状態制御管理手段と状態通知手段を変更可能な請求項３又は４記載の定形データ放送録画再生装置である。
【００３２】
【発明の実施の形態】
以下に、本発明の実施の形態について図面を参照して説明する。
【００３３】
（実施の形態１）
本発明の実施の形態１では、定形データ放送再生装置の内部状態を定形データ放送として再生する方法について説明する。
【００３４】
図１は、定形データ放送を再生し定形データ放送再生装置の内部状態をディジタル放送受信機３を介して表示するための定形データ放送再生装置の構成ならびに受信機との接続環境を示すブロック図である。定形データ放送再生装置５は、定形データ保存手段１１１、データ挿入手段１１０、ＭＰＥＧ−ＴＳ化手段１０９から構成される。また、ディジタル放送受信機３は、表示手段１０１、データ放送実行手段１０７を備える。
【００３５】
ディジタル放送受信機３に備えられているデータ放送実行手段１０７は、ＢＳ（Ｂｒｏａｄｃａｓｔｉｎｇ　Ｓａｔｅｌｌｉｔｅ：放送衛星）デジタル放送のデジタル放送受信機には一般的に搭載されている機能であり、その内容は、たとえば、特開平１０−３０４３２５号公報の「デジタル放送システム、デジタル放送装置及びデジタル放送における受信装置」等に記述されている。このデータ放送は、ＢＭＬ（Ｂｒｏａｄｃａｓｔ　Ｍａｒｋｕｐ　Ｌａｎｇｕａｇｅ）という言語で記述されたプログラムや表示用の画像データ等が放送波を介してデジタル放送受信機３に送付されるものである。ユーザは、デジタル放送受信機３を操作することでデータ放送にて実現される様々なサービスを受けることが可能になる。
【００３６】
データ放送実行手段１０７は、デジタル放送受信機３が放送波からデータ放送を受信したときだけではなく、たとえばＩＥＥＥ１３９４インタフェースと呼ばれるデジタル接続を介して取得した時も動作するものとする。即ち、データ放送実行手段１０７は、デジタル放送受信機３に接続された再生装置の再生動作によっても動作するものとする。
【００３７】
以下、図１に示した本実施の形態の各構成要素の説明を行う。
【００３８】
図１において、５は、本発明における第１の発明の定形データ放送再生装置を示したものである。３００は、定形データ放送再生装置が送出するデータ放送の雛形となる定形データである。３０１は、定形データ放送再生装置５の機器状態等を表す挿入データである。１１１は、定形データ３００を、機器内の保存手段（図示せず）に保存する手段である。１１０は、定形データ３００に挿入データ３０１を挿入するデータ挿入手段である。１０９は、データ挿入手段１１０によって得られたデータをＭＰＥＧトランスポートストリーム（以下、ＭＰＥＧ−ＴＳと略す）として送出するものである。３２０は，定形データ放送再生装置５とデジタル放送受信機３の間でのデジタル信号のやり取りを行うデジタルインターフェースである。
【００３９】
以下、図面に従って、本構成の定形データ放送再生装置５の動作について説明する。
【００４０】
定形データ放送再生装置５は、再生動作開始要求を受け付けると、定形データ保存手段１１１から、データ放送の雛形データである定形データ３００を定形データ放送再生手段１０８に送出する。定形データ放送再生手段１０８の有するデータ挿入手段１１０は、定形データ放送再生装置５内部の状態を示す挿入データ３０１を取得し、定形データ３００にそのデータを書き込む。ＭＰＥＧ−ＴＳ化手段１０９は、その定形データを、ＭＰＥＧ−ＴＳの送出ストリームの形態である小単位のデータのかたまり（パケット）にして、デジタル放送受信機３に送出する。定形データ放送再生装置５から送出された定形データ放送は、デジタルインターフェース３２０を介してデジタル放送受信機３に送信され、データ放送実行手段１０７によって解釈、実行される。データ放送実行手段１０７は、定形データ放送再生装置５の内部状態を表示手段１０１、ＴＶ受像機１によって表示することとなる。この結果、デジタル放送受信機３が、定形データ放送再生装置５を制御する制御手段を備えていなくとも、ユーザは、定形データ放送再生装置５の内部状態をデジタル放送受信機３の表示画面を通じて知ることができる。
【００４１】
尚、上記の説明における、定形データ放送再生装置５に再生動作を促す方法は、定形データ放送再生装置の内部状態を表示する機能を持たない機器用のコマンドで可能でもあり、それは、たとえば、ＩＥＥＥ１３９４インタフェース上にてやりとりされるテープ用ＶＣＲコマンドなどが例としてあげられる。または、定形データ放送再生装置５の本体のボタン、定形データ放送再生装置５の専用リモコンなどを使用しても、同様の効果をユーザに提供することができる。
【００４２】
本実施の形態１の構成を用いる事で、前記「発明が解決しようとする課題」に記載の、第１の課題である「デジタル放送受信機３が最新の機器のコントロール機能を有しない場合には、古い機器しか制御することができない」という課題のうち、ディジタルコンテンツ再生機器４の動作状態を表示する制御ができないという視点の課題を解決することができる。
【００４３】
次に、本実施の形態１における、定形データ放送再生手段１０８の有する機能について詳細に説明する。
【００４４】
図２は、データ挿入手段１１０が行う処理の一例を示したものであり、特に、ＢＳデジタル放送で用いられているデータ放送のデータ構造を一例にしてその動作内容を説明する。
【００４５】
図２において、２００は、送出するデータの一塊を機器内のメモリ上に配置した様子を示したものである。このデータは、データカルーセルと呼ばれる方式により、デジタル放送受信機に繰り返し転送される。このデータカルーセルという方式は、ＩＳＯ／ＩＥＣ１３８１８−６規格で定義された方式である。尚、データカルーセル方式は方式名称であるため、これを区別し、データの実体を指す場合はカルーセルデータと呼ぶこととする。カルーセルデータ２００は、主にデータの配置情報が記述されているＤＩＩと呼ばれる部分と、実際のデータ本体が書かれているＤＤＢとよばれる部分に分かれている。ＤＩＩ及びＤＤＢは、ＩＳＯ／ＩＥＣ１３８１８−６規格で定められたＵｎｓｅ−ｔｏ−ＮｅｔｗｏｒｋダウンロードプロトコルのなかのＤｏｗｎｌｏａｄＩｎｆｏＩｎｄｉｃａｔｉｏｎメッセージ及びＤｏｗｎｌｏａｄＤａｔａＢｌｏｃｋメッセージを意味する。２０１は、データカルーセルのペイロード部分に相当するＤＤＢの構造を示したものである。ＤＤＢは複数のＰＥＳ（Ｐａｃｋｅｔｉｚｅｄ　Ｅｌｅｍｅｎｔａｒｙ　Ｓｔｒｅａｍ）に分割され、さらにそれぞれのＰＥＳ構造２０２は、先頭の固定領域に続いて、いくつかの書き換え対象データ部分が存在し、データ最後には、データの信頼性を保証するＣＲＣ（Ｃｙｃｌｉｃ　ｒｅｄｕｎｄａｎｃｙ　ｃｈｅｃｋ）３２の部分が配置されている。定形データ３００は、図２に示すデータカルーセルの構造をしており、ＰＥＳ構造２０２の書き換え対象データ部分が未定義になっているものである。データ挿入手段１１０は、ＰＥＳ構造２０２の書き換え対象データ部分を検索し、機器内部で取得した挿入データ３０１で、書き換え対象データ部分を更新する。
【００４６】
このデータ更新を行う書き換え対象データ部分のメモリ上の位置情報は、あらかじめテーブルで保存していてもよいし、検索して調べる事もありえる。また、それぞれの書き換え対象データ部分に書きこむ挿入データ３０１は、固定長の場合処理が単純になるが、データの持たせ方を工夫することで、様々なサイズのデータを挿入することもできる。いずれの場合でも、各書き換え対象データを更新したあと、転送時のデータとしての整合性保障を目的に、ＣＲＣ３２を再計算する。
【００４７】
データ放送はディジタル放送において実施されており、上記データ放送を形成するカルーセル構造の構築及びＭＰＥＧトランスポート化は放送局の設備でも同様の規格に従って実施されている。本発明が放送局設備と異なる点は、本装置を使用するのが一般ユーザーである点、またディジタル放送受信機３における処理が放送波としての受信ではなく外部機器からの再生データとしてデータ放送を取得する点である。このような使用環境では、価格的にも処理速度的にも従来の放送局設備とは異なる構成の装置が必要となる。上記に説明した本実施の形態１では、再生するデータ放送を定形化して扱うことで必要な処理を最小化し、価格的にも処理速度的にも実用性のある定形データ放送再生を実現することができるという特徴を持つ。
【００４８】
また、本実施の形態の、定形データ放送再生装置５の内部状態を表す挿入データ３０１は、文字データに限定する必要はなく、音楽データやＪＰＥＧ（Ｊｏｉｎｔ　Ｐｈｏｔｏｇｒａｐｈｉｃ　Ｅｘｐｅｒｔｓ　Ｇｒｏｕｐ）などの画のデータであってもよい。また、機器内部の値でなくともよく、たとえば、定形データ放送再生装置５に接続されたメモリーカードのデータ、定形データ放送再生装置５に接続された光ディスクドライブに挿入された光ディスクに記録されている音楽データ、あるいは、その音楽データのタイトル情報などであってもよい。
【００４９】
次に、データ挿入手段１１０によって作成したカルーセルデータ２００をＭＰＥＧ−ＴＳとして送出するＭＰＥＧ−ＴＳ化手段１０９についてその動作を説明する。
【００５０】
図３は、作成したカルーセルデータをＭＰＥＧ−ＴＳデータとして送出する処理方法の一例を示したものである。
【００５１】
１３０は、カルーセルデータ２００を分割し、ＭＰＥＧ−ＴＳ規格で定めるパケットを生成するカルーセルデータ分割パケット化手段である。１３１は、ＭＰＥＧ−ＴＳ規格でさだめるＰＡＴ（Ｐｒｏｇｒａｍ　Ａｓｓｏｃｉａｔｉｏｎ　Ｔａｂｌｅ）やＰＭＴ（Ｐｒｏｇｒａｍ　Ｍａｐ　Ｔａｂｌｅ）などのパケットを生成する制御用パケット生成手段である。１３２は、これらによって生成したパケットデータの連続性指標を更新する連続性指標更新手段である。１３３は、パケットデータをバス上に送信する「パケット送信手段」である。これらの構成により、データ挿入手段１１０の生成したデータカルーセルのデータを送信することが可能である。
【００５２】
尚、一般的には所定の書式にデータを代入する時などは、「定型データにデータを挿入する」と明記するが、本発明においてはディジタル放送受信機３により再生されるデータ放送の画面がユーザーに対して所定の形で視覚的に形状化されるため、すべての表記に定形という漢字を使用した。以下、意味がそぐわない部分については定形を定型と読み直しされたい。もちろん、この事は、本発明が表示画面を画一化することを目的としているものではない。例えば、図１における挿入データ３０１として、表示画面の形状を変更する値を挿入することもできる。
【００５３】
（実施の形態２）
本発明の実施の形態２では、実施の形態１で説明した構成に加えて、定形データ３００の書き換え機能を有する例について説明する。
【００５４】
図４は、本発明の実施の形態２による定形データ放送再生装置の構成を示したブロック図であり、本発明の第５の発明における機器構成を示したものである。図４において、図１と同じ構成要素には同一番号を付与し、説明を省略する。
【００５５】
図４の定形データ保存手段１１１は、転送要求処理手段１２７と、記録媒体制御手段１２３と、記録媒体１２４から構成される。同図の定形データ転送手段１２６には、例えばパーソナルコンピュータ（以下、ＰＣと略す）を用いることができる。ＰＣと定形データ放送再生装置５をケーブルで接続し、ＰＣから定形データ再生装置５に対して定形データ書き込み要求と書き込みデータを送信する。
【００５６】
転送要求処理手段１２７は、定形データ転送手段１２６から発行された定形データ書き込み要求を解釈し、処理を行う転送要求処理手段である。１２４は、書き換え可能な記録媒体であり、定形データ転送手段１２６から転送されたデータを書き込み、保存する場所である。１２３は、記録媒体１２４を制御し、記録媒体１２４への読み出し（Ｒｅａｄ）処理、書き込み（Ｗｒｉｔｅ）処理を行う、記録媒体制御手段である。
【００５７】
次に、本実施の形態２における定形データ放送再生装置５の動作を説明する。
【００５８】
定形データ転送手段１２６は、定形データ放送再生装置５に対して定形データ転送要求を発行し、定形データの転送を開始する。要求を受けた転送要求処理手段１２７は、その要求の意味を理解して定形データの受信を開始する。転送要求処理手段１２７は、受信完了後、記録媒体制御手段１２３に対して、受信した定形データの保存要求を出す。記録媒体制御手段１２３は、書き換え可能な記録媒体１２４を制御し、受信した定形データを保存する。
【００５９】
また、本実施の形態に示す構成の定形データ放送再生装置５は、定形データ放送の再生を行う場合には、次のように動作する。
【００６０】
すなわち、定形データ放送の再生をおこなう場合は、記録媒体制御手段１２３は、記録媒体１２４から定形データ３００を読み出し、その定形データ３００を定形データ放送再生手段１０８に転送する。定形データ放送再生手段１０８は、この定形データに、挿入データ３０１を挿入し、定形データ放送の再生動作を行う。
【００６１】
以上のような構成をとることにより、定形データ放送再生装置５は、その定形データを、機器外から書き換えることが可能になる。
【００６２】
図４では、その一例として、磁気記録媒体であるハードディスクを示しているが、光記録媒体やデータ保存機能付きメモリ（フラッシュメモリ）という構成であってもよい。
【００６３】
この結果、例えば、定形データ放送再生装置の製造過程において、定形データの表示内容を、納入先毎に変更することが容易になるという利点がある。また、定形データ放送再生装置５の最終利用者である一般ユーザが、定形データを、自分の好みの配色やデザイン等に変更することも可能になる。
【００６４】
本実施の形態２では、定形データ転送手段１２６としてＰＣを用いたが、ＰＣの代わりにディジタル放送受信機３を用いて書きこんでも良い。また、光ディスクやメモリーカードなどの交換媒体を用いて書きこんでもよい。
【００６５】
（実施の形態３）
次に本発明の実施の形態３について説明する。実施の形態３では、ディジタル放送受信機３において動作しているデータ放送アプリケーションに対して動作状態の変更を指令する構成について、説明する。
【００６６】
図５は、実施の形態３による定形データ放送再生装置の構成を示すブロック図であり、本発明の第２の発明に係る機器構成を示したものである。また、同図において、図１と同じ構成要素には同一番号を付与し説明を省略する。また、図６は、第１０の発明における方法を示したものである。
【００６７】
図５に示す状態遷移制御手段１１２は、要求受付手段１１５と、状態遷移管理手段１１４と、状態変化通知手段１１３から構成される。
【００６８】
同図において、要求受付手段１１５は、リモコンや押しボタン等による指令を受信し、要求を受け付ける手段である。状態管理遷移手段１１４は、ディジタル放送受信機３のデータ放送実行手段１０７により動作するデータ放送プログラムの状態を制御するための情報収集と管理を行う。状態変化通知手段１１３は状態の変化をディジタル放送受信機３に通知するための制御を行う。
【００６９】
以上のように構成された本実施の形態３における動作を説明する。
【００７０】
リモコンや押しボタン等によって指令された要求は、要求受付手段１１５でこれを解釈され、その内容は状態遷移管理手段１１４に通知される。通知された情報は状態遷移管理手段１１４によって、あらかじめ記述された状態遷移管理方法に従って処理され、該当する制御コードが生成される。このあらかじめ記述された状態遷移管理方法とは、定形データ放送を受信することによって起動された、ディジタル放送受信機３で動作しているデータ放送アプリケーションに対し、どのように状態遷移すれば良いかを記述したものである。即ち、本発明の構成によれば、データ放送アプリケーションと状態遷移管理手段１１４は協調して動作するものである。次に、状態制御管理手段１１４により生成された制御コードは、状態変化通知手段１１３によってイベントメッセージ伝送方式のフォーマットに変更され、その結果はＭＰＥＧ−ＴＳ化手段１０９に送付される。送付された情報はＭＰＥＧ−ＴＳ化手段１０９によって加工され定形データと共にＭＰＥＧ−ＴＳ信号として再生される。ＭＰＥＧ−ＴＳ化手段１０９によって再生されたＭＰＥＧ−ＴＳ信号はディジタル放送受信機３によって再生され、データ放送実行手段１０７によりこれが処理される。
【００７１】
上記イベントメッセージ伝送方式とは、放送局からディジタル放送受信機３で動作しているアプリケーションに対して、即座に、あるいは指定した時刻に、メッセージ情報を送る手段を提供するものである。例えば、電波産業会、標準規格ＳＴＤ−Ｂ２４、３．２版、第７章を参照。日本のＢＳディジタル放送用に定められた規格では、汎用イベントメッセージ記述子が定義されており、汎用イベントメッセージ記述子をイベントメッセージ伝送方式に則り伝送することでディジタル放送受信機３側にて動作するアプリケーションの状態を変更することができる。
【００７２】
次に、定形データ放送再生装置５からディジタル放送受信機に対して、状態変化を通知する方法について図６を用いて説明する。
【００７３】
図６は状態変化通知手段１１３によって生成されたイベントメッセージを用いて、ＭＰＥＧ−ＴＳ化手段１０９において、どのようにＭＰＥＧ−ＴＳを構成して再生を行うかを視覚的に時間軸上に表現したものである。図６では２つのケースを示す。ケース１（Ｃａｓｅ１）は定形データから成る１カルーセルのサイズが小さい場合の処理方法を示すものである。カルーセルのサイズが小さい場合は、カルーセルの送出周期は短くなるので同図に示す通り、カルーセルの繰り返し単位の隙間にイベントメッセージを挿入することができる。ケース２（Ｃａｓｅ２）は１カルーセルのサイズが大きい場合の処理方法を示すものである。カルーセルのサイズが大きい場合は、カルーセルの送出周期は長くなる。このような場合は同図のように１カルーセルを所定の個数に分割して送信し、これらの分割送信単位の隙間にイベントメッセージを挿入することができる。このようにイベントメッセージを挿入することで早い応答速度にてイベントメッセージをディジタル放送受信機３に送出することができる。イベントメッセージを取得したディジタル放送受信機３はその内容を動作中の定形データ放送アプリケーションに通知する。その結果、定形データ放送アプリケーションはあらかじめ記述された動作仕様に従って状態遷移を行うこととなる。
【００７４】
以上のように、本実施の形態３の構成を用いる事で、前記「発明が解決しようとする課題」に記載の、第１の課題である「デジタル放送受信機３が最新の機器のコントロール機能を有せず、古い機器しか制御することができない」という課題のうち、ディジタルコンテンツ機器４の操作をディジタル放送受信機３の側から指令する制御ができないという視点の課題を、定形データ放送再生装置５の側から逆に制御することで解決することができる。
【００７５】
尚、本実施の形態３の構成から明らかなように、本発明の状態遷移管理手段１１４において処理時間のかかる複雑な演算を伴う処理を分担させることも可能である。即ち、本発明の構成によれば、従来の既存のディジタル放送受信機３が備えているデータ放送実行手段では実現し得なかった処理負荷の重いアプリケーションを実行することもできる。
【００７６】
（実施の形態４）
第４の実施の形態では、実施の形態３で説明したところの状態変化通知手段１１３及びＭＰＥＧ−ＴＳ化手段１０９において、その処理を高速化する方法について、図７〜図１１を用いて説明する。
【００７７】
図７は、従来のデータ放送でのデータ送出方式を説明するための概念図である。図８及び図１１は、本発明の第１１の発明に記載の方法を示したものである。
【００７８】
図７は従来の放送波として送出されるデータ放送のデータ送出方式を示す図である。同図の定形データ５０１には、ＤＤＩにＢＭＬ文書が記述され、ＤＤＢ−０に第１の静止画１、ＤＤＢ−１に第２の静止画２、ＤＤＢ−３に第３の静止画３、ＤＤＢ−４に第４の静止画４、ＤＤＢ−５に第５の静止画５が入っているものとする。この１カルーセル単位のデータを再生信号５０２に示すように繰り返し再生することでデータ放送が再現される。このように放送波と同様なデータ構造で定形データ放送を再生する場合、１カルーセルの中に画面表示対象となるすべての静止画を含む必要があった。図７に示す通り、データ放送の場合この１カルーセルを繰り返し再生することで、どの時点から再生を開始しても比較的短時間でデータ放送を視聴できるという特徴を有する。しかしながら、従来のデータ放送の場合、図７から明らかなように、選択対象となる静止画の数が多い場合あるいは静止画のサイズが大きい場合は、送出するカルーセルデータの周期が長くなり、表示したい静止画の取得に時間がかかるという問題があった。図７において、例えば、３番目の塊であるＤＤＢ−０を再生中に、操作画面により静止画５が選択されたとする。この場合、従来の方式では、最短でも４〜６の塊を経過しなければ目標の画像データを取得することはできない。即ち、例えば、静止画データのサイズが大きく、４〜５の塊を再生する時間が長い場合は表示に時間を要することとなる。
【００７９】
図８及び図９は上記問題を解決する２種類の方法を提供するものである。
【００８０】
以下、ディジタル放送受信機３における画像取得を高速化する第１の種類のデータ送出方式について図８及び図９を用いて動作を説明する。
【００８１】
図８はディジタル情報受信機３の画像取得を高速化する第１のデータ送出方式を示す図である。
【００８２】
図１１は図５に記載した定形データ放送再生装置５の状態変化通知手段１１３の出力信号を拡張したものである。図１１と図５の異なる点は状態変化通知手段１１３から送出される信号に、新規に画像選択指令３２１を加えた点である。図５と同様の部分は番号を同一とし説明を省略する。
【００８３】
図８では、図７と同様なカルーセルが繰り返し再生されるものとする。同図において、例えば再生信号が３番目の塊、即ち静止画１を定形データ放送再生処理中に、ユーザーにより静止画５が選択された場合、図１１に示す状態変化通知手段１１３は画像選択指令３２１をＭＰＥＧ−ＴＳ化手段に送信することで、ＭＰＥＧ−ＴＳ化手段１０９でのカルーセルパケット内の並び替えを指令する。並び替えの方法としては、同図に示すような順番に割り込ませる方法や、割り込ませた後は継続する元のカルーセルの並び通りに再生する方法（図示せず）がある。
【００８４】
以上のように、選択されたデータに対応するＤＤＢを即座に並び替えて再生することで、ディジタル放送受信機３側は従来の放送波で送信されるデータ放送に比べて早い応答で描画を開始することができる。
【００８５】
次に、ディジタル放送受信機３における画像取得を高速化する第２の種類のデータ送出方式について図９、図１０及び同じく図１１を用いて動作を説明する。
【００８６】
図９は新たに定義した定形データの例を示す図、図１０はディジタル情報受信機３の画像取得を高速化する第２のデータ送出方式を示す図である。
【００８７】
まず、図９に示すように、ＤＩＩ及びＤＤＢから構成されるカルーセルをトランスポートパケットＩＤの１００番に割り当てる。この時、ＤＤＢには第１の種類のデータ送出方式とは異なり、選択対象となる画像データはＤＤＢには含まない。選択対象となる画像データは、同図に示すように、カルーセルとは異なるトランスポートパケットＩＤの１０１番〜１０５番を割り当てる。
【００８８】
以上のように定義された定形データをＭＰＥＧ−ＴＳ化手段１０９によって再生する場合の動作につて図１０を用いて説明する。
【００８９】
まず、画像が選択されていない場合はトランスポートパケットＩＤの１００番のみを再生する。次にユーザーの操作によって静止画２が選択されるとする。この時、図１１に示す状態変化通知手段１１３は画像選択指令３２１をＭＰＥＧ−ＴＳ化手段１０９に対して発行する。この指令を受けたＭＰＥＧ−ＴＳ化手段１０９は図１０に示すように、今まで送信していたトランスポートパケットＩＤの１００番に加えてトランスポートパケットＩＤの１０２番をマルチプレクスして再生する。以上のように、選択されたデータに対応するトランスポートパケットＩＤのデータを、即座にマルチプレクスして再生することでディジタル放送受信機３は、従来の放送波で送信されるデータ放送に比べて早い応答で描画を開始することができる。
【００９０】
以上のように、本実施の形態４に示すように要求されたデータを即座に並び替えあるいはマルチプレクスすることで、従来のデータ放送に比べて早い応答を実現することができる。
【００９１】
尚、図９で示した定形データの例において、静止画データに相当するトランスポートパケットは実施の形態１で説明した挿入データ３０１を挿入する部分として定義することもできる。この部分には、前述同様、動画、音声、アニメーション、ゲーム等を割り当ても良い。さらに、録画済みの番組を用いて、通常再生、早送り再生、巻き戻し再生等を割り当てても良い。
【００９２】
（実施の形態５）
本発明による実施の形態５では、実施の形態３で説明したところの構成を基本に、リモコンを使用した例について、図１２〜図１５を用いて説明する。
【００９３】
図１２は、従来のリモコン操作を示す概念図、図１３は、従来のディジタル放送受信機を経由した機器操作の例を示す概念図である。また、図１４は、本実施の形態５による定形データ放送再生装置でのリモコン受光方式を示す概念図であり、本発明の第９の発明に係る記載の構成を示したものである。
【００９４】
図１５は、本発明の実施の形態５における定形データ放送再生装置の構成を示すブロック図である。同図において図５と同じ構成要素には同一番号を付与し、説明を省略する。
【００９５】
まず図１２及び図１３を用いて、従来のリモコンでの操作の例を説明する。
【００９６】
図１２は従来のリモコン操作を示す図である。同図は、ＴＶ受像機１、及びこれに接続された従来のＡＶ機器Ａ６、従来のＡＶ機器Ｂ７、及びそれぞれを操作するための従来のＡＶ機器Ａ６のリモコン８、従来のＡＶ機器Ｂ７のリモコン９で構成される。図１３は従来のディジタル放送受信機を経由した機器操作の例である。同図は、ＴＶ受像機１、ディジタル放送受信機３、ディジタルコンテンツ再生機４で構成される。
【００９７】
図１２に示すように、従来のＡＶ機器は個々にリモコンを持ち、視聴する画面は１つであるにも関わらず複数のリモコンが存在するという課題があった。また、図１３に示すように、１つのリモコンでディジタルコンテンツ再生機器４を操作するためには、ディジタル放送受信機を経由して制御を行う必要があった。即ち、１つのリモコンでリモコン操作を伴う新しい機能をディジタルコンテンツ再生機４に追加するためには、ディジタル放送受信機３にこれをサポートする新規プログラムを搭載するか、あるいはディジタルコンテンツ再生機４に専用のリモコンを準備するしか方法はなかった。即ち、従来のディジタル放送受信機を用いながら１つのリモコンだけでディジタルコンテンツ再生機４にリモコン操作を伴う新しい機能を追加することはできないという課題があった。
【００９８】
本実施の形態５は上記課題を解決する構成を図１４及び図１５を用いて説明する。
【００９９】
図１４は、ＴＶ受信機１、ディジタル放送受信機３、本発明の実施の形態５で構成される定形データ放送再生装置５、ディジタル放送受信機３のリモコン１０、リモコン１０の信号を受光するリモコン受光手段１１７から構成される。
【０１００】
図１５において、要求受付手段１１５は、リモコン受光手段１１７と、解析手段１１６とから構成される。リモコン受光手段１１７は、リモコン１０から発信されるリモコン信号を受光する受光手段である。解析手段１１６は、受光されたリモコン信号の意味を解析する解析手段である。
【０１０１】
図１４に示すように、ディジタル放送受信機用３のリモコン１０から発信されるリモコン信号を定形データ放送再生装置側で受信、処理することで単一リモコンによる処理が可能となる。また、図１５に示すように、実施の形態３における要求受付手段１１５の構成を、リモコン受光手段１１７と解析手段１１６により構成することで、ＴＶ受像機１に表示される定形データ放送アプリケーション画面の状態をユーザーの手で制御することができる。
【０１０２】
次に図１５に示す本実施の形態の動作についてその詳細を説明する
リモコン１０によって下向き矢印が押下されると、リモコン受光手段１１７はリモコン信号３１０を受光し、受信したリモコンコード３１０を解析手段１１６に送出する。解析手段１１６は受光されたリモコン信号の意味を解読する。但し、図１３に示す受信方法の場合、ディジタル受信機３は特定の受信機とは限らない。この場合、リモコンの制御コードは機器メーカ毎に異なる。これに対応する場合は、解析手段１１６において機器メーカ毎の識別を行う。解析手段１１６によって解析されたリモコンコード３１２は状態遷移管理手段１１４に送出される。状態遷移管理手段１１４では下向き矢印が押されたことをリモコンコード３１２で判別し、操作画面のカーソル位置を１つ下に進めるための状態変化を指令する画面操作用制御コード３１１を生成する。画面操作用制御コード３１１は、定形データ放送に組み込まれた静止画データを一意に指定する制御コードを割り当てる。画面操作制御コード３１１として、状態の変化を示す制御コードを定義する方法もあるが、この方法の場合、ディジタル放送受信機３側での受信に失敗が発生した場合にディジタル放送受信機３と定形データ放送再生装置５の状態管理に食い違いを起こす。即ち、この食い違いは以降の操作に継続することとなる。この問題を避けるために、本発明の状態遷移管理手段１１４は、上記のように表示したい画面情報に一対一に対応する画面制御コード３１１を生成し状態変化通知手段１１３に送付する。状態遷移管理手段１１４はリモコン１０からの指令に基づきデータ放送実行手段１０７により動作しているアプリケーションの状態を変化させるものであるが、このアプリケーション動作を管理する情報はリモコン１０の操作のみに基づくとは限らない。例えば、状態遷移管理手段１１４は、表示対象となる静止画の総数、１ページ中に表示させる画像ファイル情報４０１の数等も管理しても良い。
【０１０３】
尚、ＢＳディジタル放送の場合はリモコンに使用されるボタンが定められているため、異なる機器メーカのディジタル放送受信機３を使用した場合でも同様の操作環境を提供することができるという利点がある。
【０１０４】
以上のように、本実施の形態５の構成を用いる事で、前記「発明が解決しようとする課題」に記載の、第３の課題である「機器それぞれに専用のリモコンを備えると視聴者の操作が複雑になる」という課題を解決することができる。
【０１０５】
また、従来のディジタル放送受信機を用いながら１つのリモコンだけでディジタルコンテンツ再生機４にリモコン操作を伴う新しい機能を追加することはできないという課題を解決することができる。
【０１０６】
次に、図１６を用いて、本実施の形態５を用いて実現できるアルバム機能の画面構成例における動作例について概略を説明する。
【０１０７】
図１６において、画面右側半面に表示された５個の枠は選択対象となる静止画ファイルの内容を示す画像ファイル情報４０１の表示枠である。このタイトル表示枠には画像の名称を示す名前が表示される。受信機のリモコンに装備された下向き矢印ボタン、上向き矢印ボタンにより画面選択マーク４０２を移動させる。この時、画像選択マーク４０２が示す静止画を選択しプレビュー領域４０３に縮小表示する。さらに、決定ボタンを押すことで選択された静止画の全画面表示を行う。
【０１０８】
前述の本実施の形態３〜５の構成を用いることにより、上記のような操作環境を提供することができる。
【０１０９】
尚、本実施の形態５では、ディジタル放送受信機３のリモコン１０を用いて制御する方法を示したが、異なるリモコンコードを持つ専用リモコンを使用しても良い。また、図１５では要求受付手段１１５の構成要素としてリモコンを用いたが、従来の録画再生装置で使用されるような押しボタンを用いても良い、またＩＥＥＥ１３９４インタフェース等を介して外部からコマンドを発行される構成であっても良い。また、図１４のアルバム機能の画面構成では静止画を表示する例を用いたが、扱うデータは動画、音声、アニメーション、ゲーム等であってもよい。即ち、静止画をアルバム化するだけでなく動画や音声のアルバム化もできる。
【０１１０】
（実施の形態６）
次に、本発明の実施の形態６による定形データ放送記録再生装置として、録画機能を持つ場合の例を説明する。
【０１１１】
図１７は、本実施の形態による定形データ放送記録再生装置の構成を示すブロック図であり、本発明の第３の発明に係る記載の構成を示したものである。
【０１１２】
以下の説明では、新しい構成要素に番号を付与し説明を行うものとし、既出の構成要素については、既出と同一の番号を付与し説明を省略する。
【０１１３】
図１７は、図１に記載の実施の形態１において説明した、挿入データ３００に該当する部分に新しい機能を付加する内容を示したものである。
【０１１４】
図１７は、番組情報取得手段１２０と、記録媒体制御手段１２３と、記録媒体１２４とから構成される。また、番組情報取得手段１２０は、番組情報取得手段１２１と、番組情報解析手段１２２を備えている。また、記録媒体制御手段は、付属情報管理手段１２５を備えている。
【０１１５】
以下、図１７の動作を説明する。
【０１１６】
図１７は、定形データ放送再生装置に記録するＭＰＥＧ−ＴＳデータから番組の付属情報を抽出し、図１で示した挿入データを作成する構成を示したものである。
【０１１７】
図中、３０２は、定形データ放送再生装置に記録するＭＰＥＧ−ＴＳ信号を示している。１２０は、このＭＰＥＧ−ＴＳ信号から、番組に関する情報を取得する手段であり、１２１は、ＭＰＥＧ−ＴＳ信号３０２から番組情報の書き込まれたパケットを抽出する手段である。１２２は、抽出したパケットデータの意味を解釈し、記録番組の放送日時やタイトル情報、さらに、映画やスポーツ番組といった番組のジャンル情報を抽出する手段である。
【０１１８】
３０３は、番組情報取得手段１２０が取り出した番組情報である。
【０１１９】
以下、上記構成による本実施の形態６の動作について説明を行う。
【０１２０】
コントローラや本体ボタン（図示せず）等から、ＭＰＥＧ−ＴＳの記録要求があると、定形データ放送再生装置５は、ＭＰＥＧ−ＴＳ信号３０２で伝送される映像・音声信号を、記録媒体制御手段１２３経由で、記録媒体１２４に記録を開始する。また、同時に、番組情報取得手段１２０は、ＭＰＥＧ−ＴＳ信号からとりだした番組情報３０３を、記録媒体制御手段１２３に引渡し、記録媒体制御手段１２３は、その情報を記録媒体１２４に書き込み保存する。番組情報の取得は、大きくは２つのステップで行われる。まず第１のステップにて、番組情報抽出手段１２１はＭＰＥＧ−ＴＳ信号３０２から、番組情報が含まれるＳＩＴ（Ｓｅｌｅｃｔｉｏｎ　Ｉｎｆｏｒｍａｔｉｏｎ　Ｔａｂｌｅ）パケットを抽出し番組情報解析手段に送信する。ＳＩＴパケットとは、ストリームの情報、及びストリームに含まれるサービスの情報を提供するのに必要な情報の要約が記述されたパケットである。ディジタル放送受信機３は、外部機器に対してディジタル映像を送出する際にこのＳＩＴパケットを生成付与する。次に、第２のステップにて、番組情報解析手段１２２はＳＩＴパケットから現在時刻、番組開始時刻、番組放映時間、番組タイトル、ジャンルコード等を抽出する。このように抽出された付属情報３０３は付属情報管理手段に送付される。付属情報管理手段１２５は、前記付属情報３０３に加えて、録画した番組の総数（図中ではＴｏｔａｌ　Ｏｂｊｅｃｔ数と記載）、録画済み番組の日時を基準とした順序（図中ではＰｏｓｉｔｉｏｎ番号と記載）、記録媒体１２４の残量等を管理する。
【０１２１】
このような構成をとることで、本実施の形態６で示すところの構成を含む定形データ放送録画再生装置は、記録した番組に関する情報を定形データ放送の挿入データ３０１として使用できることとなる。その結果、本定形データ放送録画再生装置は、記録した番組に関する情報をデータ放送として、デジタル放送受信機３を介して表示することができる。
【０１２２】
本実施の形態６の構成を用いることで、前記「発明が解決しようとする課題」に記載の、第４の課題である、「従来の録画再生装置は番組タイトル情報をディジタル放送受信機側から別途取得する方法しか存在しなかったため、番組タイトルを録画再生装置に通知する手段を持たないディジタル放送受信機から録画された番組はタイトル表示ができない」という第４の課題を解決することができる。
【０１２３】
また、記録媒体制御手段１２３が管理する情報として、番組情報だけではなく、付随する情報（たとえば記録媒体の残量等）も同様に表示することができる。さらに、番組情報の中に含まれる現在時刻を利用することで、定形データ放送記録再生装置側に専用の時刻管理タイマーを備えることなく録画開始時刻を管理することができるという効果もある。また、専用の時刻管理タイマーを備えている場合は、この時刻を合わせることができるという効果もある。
【０１２４】
（実施の形態７）
次に、本発明の実施の形態７では、ディジタル放送受信機３からＭＰＥＧ−ＴＳ形式で送出される番組を録画再生する機能を有し、録画した番組のタイトルを定形データに挿入する挿入データ３０１として保存し、さらに定形データ放送において、録画した番組をリモコンにて選択再生することが可能な装置の構成について説明する。
【０１２５】
図１８は、本実施の形態７による定形データ放送記録再生装置の構成を示すブロック図であり、本発明の第４の発明に係る記載のものである。本実施の形態は、番組タイトルを抽出し、これを操作画面に表示し選択再生を実現するものである。
【０１２６】
同構成は、実施の形態５における図１５（リモコン等による、定形データ放送による、記録番組再生の方式）及び実施の形態６における図１７（記録動作における、定形データ放送への番組情報の書き込み）の構成要素を足し合わせた構成となっている。個々の構成要素について、すでに前述と同一の構成要素には、同一の番号を付与するものとし、説明を省略する。
【０１２７】
図１８において、１は、ＴＶ受像機である。３は、データ放送実行手段１０７を備えるデジタル放送受信機である。１０は、リモコンである。１５は、定形データ放送録画再生装置である。
【０１２８】
また、定形データ放送録画再生装置１５は、番組情報取得手段１２０、記録媒体制御手段１２３、記録媒体１２４、定形データ放送再生手段１０８と状態繊維制御手段１１２を備えている。それぞれの構成要素の働きは、前述したものと同一であるため、説明を省略する。また、３１３は、記録媒体制御手段１２３の状態変化を、状態遷移制御手段１１２の一部である、状態遷移管理手段１１４に通知するための内部状態通知信号である。
【０１２９】
以下図面に従って、図１８に示す構成の、定形データ放送録画再生装置の動作を説明する。
【０１３０】
まず、ディジタル放送受信機３の機器操作機能を用いて番組を録画する。録画動作は、デジタル放送受信機３から定形データ放送録画再生装置１５へのコマンド発行、あるいは、定形データ放送録画再生装置１５の本体操作等を録画開始要求として、デジタル放送受信機３の出力するＭＰＥＧ−ＴＳ信号３０２を受信した記録媒体制御手段１２３が、記録媒体１２４にＭＰＥＧ−ＴＳ信号３０２を記録することで行われる。
【０１３１】
その際、ＭＰＥＧ−ＴＳ信号３０２の一部は、番組情報取得手段１２０によって抽出解析される。さらに、得られた録画番組にかかわる付属情報３０３を記録媒体制御手段１２３を経由して、記録媒体１２４に記録する。図１８では、ＭＰＥＧ−ＴＳ信号３０２を記録する蓄積媒体と同一の蓄積媒体１２４に付属情報３０３を記録保存する構成を示しているが、別の記録媒体に蓄積をしても同一の動作形態とすることができる。
【０１３２】
次に、図１８の定形データ録画再生装置１５において、定形データを生成するときの動作について説明する。
【０１３３】
上述したように、定形データ放送録画再生装置１５が録画動作を行った結果、新たに録画した番組のタイトル情報等を新たに挿入データにして、定形データ３００に挿入する必要がある。
【０１３４】
この記録動作に伴う、定形データへのデータ挿入動作は、記録動作中に、番組情報を取得した時点で行っても良いが、記録動作中は、ディスク残量やオブジェクトサイズ等の情報は、随時変化しているので、記録動作が停止した後に再度、定形データ３００へのデータ挿入動作を行う必要がある。また、このデータの挿入動作は、番組の記録動作を停止させた時点で、行ってもよい。また、定形データ放送のオブジェクトの再生が指示された時点で行うこともありえる。
【０１３５】
次に、図１８の定形データ録画再生装置１５において、定形データを再生するときの動作について説明する。
【０１３６】
定形データ放送を、デジタル放送受信機１５に、再生データとして送出するために、定形データは、定形データ録画再生装置１５の中の記録データの一部として操作可能とすることができる。本実施の形態では、たとえば、定形データ録画再生装置１５をテープ機器として動作させる場合には、テープ先頭に記録されているものが、定形データ放送部分であるとして、テープを先頭まで巻き戻して、再生動作を行ったときに、定形データ放送を再生、送出されるようにすることができる。
【０１３７】
また、別の方法として、デジタル放送受信機３のリモコン１０の特定のボタンを押下したときに、定形データ放送が、再生、送出するようにすることもできる。ただし、その場合、通常のデジタル放送受信機３の動作と輻輳しないボタンを選ぶ必要がある。
【０１３８】
また、定形データ放送録画再生装置１５の本体のボタンが押下されたことを検出するか、専用のリモコンからのリモコン信号３１０を受信することによって、状態遷移制御手段１１２から、定形データ放送再生手段１０８に動作開始要求がつたわり、定形データ放送の再生、送出を開始することができる。
【０１３９】
また、通常の録画された録画番組は、再生時には、記録媒体制御手段１２３が、記録媒体１２４から録画番組のデータを読み出して再生動作を開始する。一方の定形データ放送は、かならずしも、その手順に沿わなくともよい。すなわち、定形データ放送の再生動作を要求されてから、定形データの読み出し、データ挿入をおこなっても良いし、または、再生動作を要求される前にあらかじめ、データ挿入手段１１０において、定形データ３００に挿入データ３０１を挿入しておき、メモリや、磁気記録媒体等の一時記憶場所に保持しておくこともできる。
【０１４０】
定形データ放送は、定形データ放送再生手段１０８によって送信される。
【０１４１】
リモコン１０の操作により、定形データ放送を操作することができる。
【０１４２】
リモコン信号３１０は、要求受付手段１１５により、その内容が状態遷移管理手段１１４に伝えられる。一方、３１３は、記録媒体制御手段１２３の内部状態を意味する信号であり、記録媒体制御手段１２３の管理情報（たとえば、記録媒体１２４の残容量や、ファイルシステムの生成・消去にかかわる情報など）が、内部状態通知信号３１３によって通知される。このような、記録媒体制御手段側からの内部状態を、状態遷移管理手段１１４に通知する手段を用意しておくことで、録画再生動作側の状態によって、状態変化通知を変化させるアプリケーションを用意することができる。たとえば、記録容量にあきのないとき、ユーザにその旨の注意を促すための通知を表示させるなど、である。
【０１４３】
本構成に示す、定形データ放送録画再生装置１５のような構成によって、ディジタル情報受信機３が最新の機器のコントロール機能さない場合には、古い機器しか制御することができないという第１の課題、従来のＤ−ＶＨＳ録画再生装置等の録画再生機器はデータ放送を録画再生することはできても録画再生機器側から再生されているデータ放送の画面を操作することはできないという第２の課題、機器それぞれにリモコン及び操作画面が存在することとなり視聴者の操作が複雑になるという第３の課題、さらに、番組タイトルを録画再生装置に通知する手段を持たないディジタル放送受信機から録画された番組はタイトル表示ができないという第４の課題を解決することができる。
【０１４４】
図１９は番組タイトル情報表示の画面構成の一例を示す概念図である。
【０１４５】
以降、図１９にそって、より具体的に、実施の形態７に示す、定形データ放送録画再生装置１５の動作について説明する。
【０１４６】
図１９において、４０４は、定形データ放送の表示画面毎の情報を表する領域であり、ここでは、表示しているページの番号を表示する領域である。
【０１４７】
４０５は、番組のタイトルや放送局、放送時間等の、記録されている番組に関する情報を表示する欄である。
【０１４８】
４０６は、４０５同様の番組の記録されている番組に関する情報を表示する欄であるが、ユーザーが、操作可能な情報をあらわしている。図の削除禁止情報はその一例であり、番組ごとに、削除可能・不可能を選択指定した結果を表示する領域である。
【０１４９】
４０９は、各ページに共通な情報を表示する領域であり、図１９の例では、操作方法に関する情報を表示する領域としている。
【０１５０】
４０７、４０８、４１３，４１４は、ユーザがリモコンで押下可能なボタンである。図１９の例では、再生動作開始ボタン４０７、番組削除禁止指定ボタン４０８、ページ送りボタン４１３、ページ戻しボタン４１４として定義している。
【０１５１】
４１０、４１１は、機器内部情報を表示する領域である。図１９の例では、記録可能領域の残量を表示する領域としている。
【０１５２】
これらの領域は、定形データ放送の表示中に変化することもありえる。たとえば、残量表示４１０や、残量表示グラフ４１１の指し示す内容を、削除禁止情報４０６の指定によって変化する値と定義すると、ユーザが本定形データ放送画面を表示操作する中で、この４１０、４１１の領域は変化する。４１２は、番組選択マークの例であり、ユーザのリモコン操作によって、リアルタイムに変化するものである。このマークは、ユーザによるリモコンの上下矢印の操作によって移動するものである。
【０１５３】
本実施の形態７の構造での方式では、４１０や、４０４等の、ユーザのボタン操作により表示内容の変化するものは、図１８の中の、状態遷移制御手段１１２によって制御されており、状態変化通知手段１１３の発行するイベントメッセージを、ＭＰＥＧ−ＴＳ化手段１０９が、デジタル放送受信機３に対して送信することで、画面が切り替わる。
【０１５４】
さらに、本実施の形態７に示す、定形データ放送録画再生機器１５におけるリモコン操作について説明する。
【０１５５】
図１９に示す、４０７、４０８、４１３、４１４、といったボタンは、デジタル放送受信機３のリモコンに付属する、カーソル移動のための矢印キーで選択することができる。しかしながら、その選択方法がデジタル放送受信機の機器操作機能における操作方法と輻輳した場合には、ユーザの意図とは異なる反応をすることがありえる。
【０１５６】
そのような場合には、リモコンの別のボタンに４０７、４０８、４１３、４１４のそれぞれの機能を割り付けることも可能である。たとえば、日本のＢＳディジタル放送受信機の場合、そのリモコンには、４つの色分けされたボタンが用意されており、そのそれぞれを、４０７、４０８、４１３、４１４に割り当てることが可能である。
【０１５７】
また、それ以外のボタンを割り当てることも可能である。たとえば、定形データ放送の選択画面から再生番組を選択、再生しているときに、もとの定形データ放送画面に戻る場合、元来のデータ放送操作で使用される「戻る」ボタンではなく、「番組表」といった、データ放送視聴時には、通常使用しないボタンを、定形データ放送の操作にわりつけることができる。
【０１５８】
このことにより、デジタル放送受信機３に付属のリモコンを使用できるようにすることで、「ディジタル情報受信機３が最新の機器のコントロール機能を有しない場合には、古い機器しか制御することができない」という課題をさらに踏み込んで解決することができるようになる。
【０１５９】
（実施の形態８）
次に本発明の実施の形態８について説明する。図２０は、本発明の第１２の発明に係る記載の、本発明第８の実施の形態による定形データ放送録画再生装置の構成を示すブロック図である。以下の説明では、新しい構成要素に番号を付与し説明を行うものとし、既出の構成要素については、既出と同一の番号を付与し説明を省略する。
【０１６０】
図２０及び図２１において、１２８はＭＰＥＧトランスポートストリームのプライベートパケットに挿入されて送信されたダウンロードデータを抽出するダウンロードデータ抽出手段、３１４はダウンロードデータ抽出手段１２８により抽出されたダウンロード信号である。ダウンロード信号３１４は、定形データ３００を更新するためのダウンロード用定形データ３２２や、挿入データ３０１を更新するためのダウンロード用挿入データ３２３、さらには状態遷移管理手段１１４の管理方法を指令する状態遷移管理方式信号３１５や、状態変化通知手段１１３の通知方法を指令する状態変化通知方式信号３１６を含んでいる。また、１２９はダウンロード信号３１４に含まれるダウンロード用定形データ３２２やダウンロード用挿入データ３２３や状態遷移管理方式信号３１５や状態変化通知方式信号３１６を分類して、それぞれ、記録媒体制御手段１２３、データ挿入手段１１０、状態遷移管理手段１１４、状態変化通知手段１１３に伝える分配手段である。
【０１６１】
以下、本発明の実施の形態８における動作について説明を行う。
【０１６２】
ダウンロードデータ抽出手段１２８は、ディジタル放送受信機３から送出され、記録媒体制御手段１２３を通じて記録媒体１２４に蓄積されるＭＰＥＧ−ＴＳ信号３０２を同時に取得し、ＭＰＥＧ−ＴＳ信号３０２のプライベートパケットに挿入されて送信されるダウンロード信号３１４を抽出する。ダウンロードデータ抽出手段１２８で抽出されたダウンロード信号３１４は分配手段１２９に送出される。分配手段１２９はダウンロード信号３１４の内容を確認して、ダウンロード信号３１４が定形データであるならば、記録媒体制御手段１２３にダウンロード信号３１４から抽出したダウンロード用定形データ３２２を送出する。記録媒体制御手段１２３は分配手段１２９から送られたダウンロード用定形データ３２２を定形データとして、記録媒体１２４に既に記録されている定形データ３００と置換えることにより定形データ３００のダウンロードを実施する。また、分配手段１２９がダウンロード信号３１４の内容を確認して、ダウンロード信号３１４からダウンロード用挿入データ３２３を抽出した場合は、この抽出したデータを記録媒体制御手段１２３に送出する。記録媒体制御手段１２３は前記分配手段１２９から送られたデータを挿入データとして、記録媒体１２４に既に記録されている挿入データ３０１と置換えることにより挿入データ３０１のダウンロードを実施する。また、分配手段１２９はダウンロード用挿入データを直接データ挿入手段１１０に送ることにより、リアルタイムに挿入データ３０１として定形データ放送に挿入してディジタル放送受信機に送ることも可能である。また、分配手段１２９がダウンロード信号３１４の内容を確認して、ダウンロード信号３１４から状態遷移管理方式信号３１５を抽出した場合は、状態遷移管理手段１１４に状態遷移管理方式信号３１５を送出する。状態遷移管理手段１１４は状態遷移管理方式信号３１５を受取ると、管理方法をそれに従い変更する。これにより、状態遷移管理手段の管理方法を更新して、操作画面上での動作制御を変更することができる。また，分配手段１２９がダウンロード信号３１４の内容を確認して、状態変化通知方式信号３１６を抽出した場合は、状態変化通知手段１１３に状態変化通知方式信号３１６を送る。状態変化通知手段１１３は状態変化通知方式信号３１６を受取ると、状態変化通知方法をそれに従い変更する。状態変化通知方法を変更することによりイベントメッセージの持つ意味を変更することが出来、前述の状態遷移管理方法の変更と併用することにより、定形データ放送で実現できる画面操作等のアプリケーションの機能拡張が可能となる。
【０１６３】
以上のような構成をとることで、定形データ放送録画再生装置１５は、記録媒体１２４に記録されている定形データ、挿入データのダウンロードを実現できる。また、状態遷移管理手段１１４の状態遷移管理方法、ならびに状態変化通知手段の通知方法を変更し、定形データ放送により実現できるアプリケーションの機能拡張を実現できる。
【０１６４】
図２２は、本発明の実施の形態８による定形データ放送録画再生装置を用いた蓄積型データ放送サービスの実現方法を示している。
【０１６５】
図２２において、３１７は衛星放送信号、３１８は映像信号、３１９はデータ信号、１１は衛星放送信号３１７を送信する通信衛星、１２は通信衛星１１から送信されてくる衛星放送信号３１７を受信する衛星放送用アンテナ、１４は従来のディジタル放送受信機、１はＴＶ受像機、１５は本発明の定形データ放送録画再生装置である。
【０１６６】
図２２では、従来のディジタル放送受信機１４は受信した衛星放送信号３１７をそのままＭＰＥＧ−ＴＳ信号３０２として、定形データ放送録画再生装置１５に送るものとする。定形データ放送録画再生装置１５では、上述したように定形データおよび挿入データのダウンロードを行うことが出来るので、蓄積型データ放送サービスとして提供するアプリケーションおよび情報データをプライベートパケットとしてＭＰＥＧ−ＴＳに挿入して衛星放送信号３１７として放送することにより、　定形データ放送録画再生装置１５に蓄積することができる。ユーザーはデータ放送を利用したいときには、定形データ放送を再生することにより、定形データ放送録画再生装置１５に蓄積されているデータを取り出すことが出来る。
【０１６７】
このような構成により、新たに蓄積データ放送専用ディジタル放送受信機１３を導入することなく、従来のディジタル放送受信機を用いて既存の蓄積型データ放送サービスと同等のサービスを新規に実現することが出来る。また、定形データ放送録画再生装置１５を増設することにより、容易に記憶媒体の容量拡張を実現できる。
【０１６８】
以上、実施の形態１〜８を用いて本発明について説明をしたが、それぞれの実施の形態で説明した定形データ放送再生装置及び定形データ放送録画再生装置は、実施の形態で使用した映像の録画機器以外にも音響機器、洗濯機等の白物家電、ドアホン等の広く一般の機器に適用しても良い。
【０１６９】
また、本発明において実現される効果の特に著しい点は旧来のディジタル放送受信機を利用できる点にあるが、新規に開発したディジタル放送受信機との併用により新規な機能・サービスを実現しても良い。
【０１７０】
また、ディジタル放送の用語は日本国内で実施されているＢＳディジタルで使用されている用語を基本に使用したが、これは本発明の効果を国内に限定するものではない。本発明と技術的に同一条件が成立する場合は、海外で検討、あるいは実施されているディジタル放送に適用しても良い。
【０１７１】
【発明の効果】
以上説明したところから明らかなように、本発明は新しい制御ソフトを装備しない、即ち古い外部機器しか制御できないディジタル放送受信機であっても、本発明の装置を用いることで画面表示あるいは操作を行うことができる定形データ放送再生装置又は定形データ放送録画再生装置を提供することができる。
【０１７２】
また、ディジタル放送受信機と同一のリモコンを用いて簡便に操作を行うことができる定形データ放送再生装置又は定形データ放送録画再生装置を提供することができる。
【０１７３】
また、番組タイトルを録画再生装置に通知をする手段を持たないディジタル放送受信機であっても番組タイトルを取得し、さらに表示選択する機能を実現した定形データ放送録画再生装置を提供することができる。
【０１７４】
また、蓄積放送に非対応の受信機であっても既存の蓄積型データ放送サービスと同等な内容の蓄積放送サービスを新規に提供することができる。
【０１７５】
また、操作画面、リモコン操作環境が一元化され操作が簡便になるという効果がある。
【図面の簡単な説明】
【図１】本発明の実施の形態１による定形データ放送再生装置の構成を示すブロック図
【図２】同定形データ放送再生装置におけるデータ挿入手段の動作を説明するための概念図
【図３】同定形データ放送再生装置におけるＭＰＥＧ−ＴＳ化手段の動作を示すフローチャート
【図４】本発明の実施の形態２による定形データ放送再生装置の構成を示すブロック図
【図５】本発明の実施の形態３による定形データ放送再生装置の構成を示すブロック図
【図６】同定形データ放送再生装置におけるカルーセルの構成および状態変化通知手段による状態通知の方法を示す図
【図７】従来のデータ放送でのデータ送出方式を説明するための概念図
【図８】本発明の実施の形態４による定形データ放送再生装置における画像データ取得を高速化する第１のデータ送出方式を説明するための概念図
【図９】同定形データ放送再生装置における定型データの種類を示す図
【図１０】同定形データ放送再生装置における画像データ取得を高速化する第２のデータ送出方式を説明するための概念図
【図１１】同定形データ放送再生装置の構成を示すブロック図
【図１２】従来のリモコン操作を示す概念図
【図１３】従来のディジタル放送受信機を経由した機器操作の例を示す概念図
【図１４】本発明の実施の形態５による定形データ放送再生装置でのリモコン受光方式を示す概念図
【図１５】同定形データ放送再生装置の構成を示すブロック図
【図１６】同定形データ放送再生装置におけるアルバム機能の画面構成を示す概念図
【図１７】本発明の実施の形態６による定形データ放送録画再生装置での挿入データ抽出を示すブロック図
【図１８】本発明の実施の形態７による定形データ放送再生装置の構成を示すブロック図
【図１９】同定形データ放送録画再生装置における番組タイトル情報表示の画面構成を示す概念図
【図２０】本発明の実施の形態８による定形データ放送録画再生装置の構成を示すブロック図
【図２１】同定形データ放送録画再生装置におけるダウンロードデータから各種データを抽出・分配する説明図
【図２２】同定形データ放送録画再生装置を用いた蓄積型データ放送の実現方法を示した概念図
【図２３】従来の記録再生装置におけるディジタルコンテンツ再生環境１を示すブロック図
【図２４】従来の記録再生装置におけるディジタルコンテンツ再生環境２を示すブロック図
【図２５】従来の蓄積型データ放送サービスの実現方法を示す概念図
【符号の説明】
１　ＴＶ受像機
３　ディジタル放送受信機
５　定形データ放送再生装置
１０１　表示手段
１０７　データ放送実行手段
１０８　定形データ放送再生手段
１０９　ＭＰＥＧ−ＴＳ化手段
１１０　データ挿入手段
１１１　定形データ保持手段
３００　定形データ
３０１　挿入データ
３２０　ディジタルインターフェース
【図１】
2004056160.tif 000003
【図２】
2004056160.tif 000004
【図３】
2004056160.tif 000005
【図４】
2004056160.tif 000006
【図５】
2004056160.tif 000007
【図６】
2004056160.tif 000008
【図７】
2004056160.tif 000009
【図８】
2004056160.tif 000010
【図９】
2004056160.tif 000011
【図１０】
2004056160.tif 000012
【図１１】
2004056160.tif 000013
【図１２】
2004056160.tif 000014
【図１３】
2004056160.tif 000015
【図１４】
2004056160.tif 000016
【図１５】
2004056160.tif 000017
【図１６】
2004056160.tif 000018
【図１７】
2004056160.tif 000019
【図１８】
2004056160.tif 000020
【図１９】
2004056160.tif 000021
【図２０】
2004056160.tif 000022
【図２１】
2004056160.tif 000023
【図２２】
2004056160.tif 000024
【図２３】
2004056160.tif 000025
【図２４】
2004056160.tif 000026
【図２５】
2004056160.tif 000027